(57)【要約】【課題】パネルに対するコネクタハウジングの取付状態の安定性を確保する。【解決手段】コネクタハウジング１０の外面には、パネル９０への取付時、コネクタハウジング１０のパネル９０からの抜け方向で、パネル９０における取付孔９１の開口縁に対面して当接可能なロック面２９，３８を有するパネルロック部２１，２２が形成されるとともに、パネル９０における取付孔９１の内面に対面して当接可能な突出端を有する突部３１，４１が形成されている。突部３１，４１の突出端は、パネルロック部２１，２２のロック面２９，３８のうち取付孔９１の開口縁に沿った幅方向の中央部と対応する位置に設置される。コネクタハウジング１０は、取付孔９１の内面との隙間範囲で、突部３１，４１の突出端を中心とした左右方向の軸周りに傾倒変位可能とされる。【選択図】図４
2008071524.tif 000002
【特許請求の範囲】
【請求項１】
相手側のコネクタハウジングに嵌合可能とされ、パネルに設けられた取付孔内に待ち受け状態で配されるコネクタハウジングを備え、
前記コネクタハウジングの外面には、前記パネルへの取付時、前記コネクタハウジングの前記パネルからの抜け方向で、前記パネルにおける前記取付孔の開口縁に対面して当接可能なロック面を有するパネルロック部が形成されるとともに、前記パネルにおける前記取付孔の内面に対面して当接可能な突出端を有する突部が独立した撓み動作を不能に形成されており、
前記突部の突出端は、前記パネルロック部のロック面のうち前記取付孔の開口縁に沿った幅方向の中間部と対応する位置に設置され、
前記コネクタハウジングは、前記取付孔の内面との隙間範囲で、前記突部の突出端を中心とした左右方向の軸周りに傾倒変位可能となっていることを特徴とするコネクタ。
【請求項２】
前記突部の突出端は、前記パネルロック部のロック面のうち、前記取付孔の開口縁に沿った幅方向の中央部と対応する位置に設置されていることを特徴とする請求項１に記載のコネクタ。
【請求項３】
前記パネルロック部は、前記コネクタハウジングの外面に沿うように延びる撓み変形可能な弾性アームと、この弾性アームの外面に突成された前記ロック面を有するロック本体とからなり、
前記突部は、前記弾性アームの外面のうち前記ロック面と屈曲して連なる面に、この弾性アームの延出方向に沿ってリブ状に形成されていることを特徴とする請求項１または請求項２に記載のコネクタ。
【発明の詳細な説明】
【技術分野】
【０００１】
本発明は、パネルに取り付けられるコネクタに関する。
【背景技術】
【０００２】
この種のコネクタとして、以下の特許文献１に記載のものが知られている。このものは、パネルに設けられた取付孔内にコネクタハウジングを待ち受け状態で取り付けるようにしたものであって、コネクタハウジングにおける上下左右の各面には、このコネクタハウジングをパネルに対して弾性的に支持するためのパネルロック部が形成されている。パネルロック部は、コネクタハウジングの外面に沿うように延出される片持ち状の弾性アームと、弾性アームの外面の自由端に突成された爪状のロック本体とからなる。  
コネクタハウジングがパネルの取付孔内に挿入されると、ロック本体が取付孔の前面側の開口縁に当接して、弾性アームがコネクタハウジングの外面に接近する方向に撓み変形させられる。その後、コネクタハウジングが取付孔に対して正規の挿入位置に至ると、弾性アームが復帰変形しつつ、ロック本体のロック面がパネルの後面側に当接し、これにより、コネクタハウジングがパネルに対して前後に位置決めされた状態で係止されるというものである。このとき、弾性アームの外面のうち、ロック本体のロック面に対し直交して連なる面（対向面）は、このロック本体のロック面と同幅をもってパネルの後面に全面的に当接される。
【特許文献１】特開２００３−３３８３４６公報
【発明の開示】
【発明が解決しようとする課題】
【０００３】
ところで、仮に、コネクタハウジングが取付孔の内面に沿うようにして周方向に位置ずれすると、図８に示すように、パネルロック部２は、弾性アーム３の対向面における幅方向の一端を中心として、回転動作を伴いつつコネクタハウジングのずれ方向に傾倒変位する。そうすると、パネル４に対するロック本体５の係止代が図８の網点Ｚで示す分、大幅に減ることになり、コネクタハウジングの取付状態の安定性が損なわれるおそれがある。
【０００４】
本発明は上記のような事情に基づいて完成されたものであって、パネルに対するコネクタハウジングの取付状態の安定性を確保することを目的とする。
【課題を解決するための手段】
【０００５】
上記の目的を達成するための手段として、請求項１の発明は、相手側のコネクタハウジングに嵌合可能とされ、パネルに設けられた取付孔内に待ち受け状態で配されるコネクタハウジングを備え、前記コネクタハウジングの外面には、前記パネルへの取付時、前記コネクタハウジングの前記パネルからの抜け方向で、前記パネルにおける前記取付孔の開口縁に対面して当接可能なロック面を有するパネルロック部が形成されるとともに、前記パネルにおける前記取付孔の内面に対面して当接可能な突出端を有する突部が独立した撓み動作を不能に形成されており、前記突部の突出端は、前記パネルロック部のロック面のうち前記取付孔の開口縁に沿った幅方向の中間部と対応する位置に設置され、前記コネクタハウジングは、前記取付孔の内面との隙間範囲で、前記突部の突出端を中心とした左右方向の軸周りに傾倒変位可能となっている構成としたところに特徴を有する。
【０００６】
請求項２の発明は、請求項１に記載のものにおいて、前記突部の突出端は、前記パネルロック部のロック面のうち、前記取付孔の開口縁に沿った幅方向の中央部と対応する位置に設置されているところに特徴を有する。
【０００７】
請求項３の発明は、請求項１または請求項２に記載のものにおいて、前記パネルロック部は、前記コネクタハウジングの外面に沿うように延びる撓み変形可能な弾性アームと、この弾性アームの外面に突成された前記ロック面を有するロック本体とからなり、前記突部は、前記弾性アームの外面のうち前記ロック面と屈曲して連なる面に、この弾性アームの延出方向に沿ってリブ状に形成されているところに特徴を有する。
【発明の効果】
【０００８】
＜請求項１の発明＞
コネクタハウジングをパネルの取付孔内に挿入すると、パネルロック部のロック面が取付孔の開口縁に当接可能に対面して、コネクタハウジングのパネルからの抜け止めがなされる。この場合に、突部の突出端がパネルロック部のロック面のうち取付孔の開口縁に沿った幅方向の中間部と対応する位置に設置されており、さらに、コネクタハウジングが取付孔の内面との隙間範囲で突部の突出端を中心とした左右方向の軸周りに傾倒変位可能となっているから、コネクタハウジングの傾倒動作に伴い、パネルに対するパネルロック部の係止代は、幅方向について、突部の突出端とパネルとの当接位置を挟んだ片側（取付孔の内面からコネクタハウジングの外面が離間する側）では減るものの、もう片側（取付面の内面にコネクタハウジングの外面が接近する側）では増えることになる（図７を参照）。したがって、本発明によれば、従来の場合と比べてパネルロック部の係止代の減少分が抑えられるとともに、パネルロック部の係止代の増加分が見込まれることになるから、パネルに対するコネクタハウジングの取付状態の安定性を保つことができる。  
しかも、パネルの取付孔の内面とコネクタハウジングの外面との間が突部によって詰められるから、取付誤差等に起因するコネクタハウジングのがたつきが抑えられる。
【０００９】
＜請求項２の発明＞
突部の突出端がパネルロック部のロック面における幅方向の中央部から左右いずれかの側へ偏った位置に対応して設置されている場合に、コネクタハウジングが突出端の偏心側と異なる側へ位置ずれすると、パネルロック部の係止代の減少量が大きくなるという事情がある。その点、本発明によれば、突部の突出端がパネルロック部のロック面における幅方向の中央部と対応する位置に設置されているから、パネルロック部の係止代の増減量は、コネクタハウジングが左周りに位置ずれした場合と右周りに位置ずれした場合とで、等しくなる。その結果、コネクタハウジングが左右いずれの方向に位置ずれしても、パネルロック部の係止代を十分に確保することができる。
【００１０】
＜請求項３の発明＞
パネルの取付孔にコネクタハウジングが挿入されると、その挿入過程では弾性アームが撓み変形して取付孔内に進入するが、コネクタハウジングが正規に取り付けられるに伴い、弾性アームが弾性復帰して、弾性アームの外面に設けられた突部の突出端が取付孔の内面に当接可能に対面するとともに、ロック本体のロック面がパネルにおける取付孔の開口縁に当接し、これによりコネクタハウジングの抜け止めがなされる。この場合に、突部が弾性アームの延出方向に沿ってリブ状に形成されているから、弾性アームの強度が高められるとともに、突部の形状、配置等を調整することで、弾性アームの撓み量の調整も可能となる。
【発明を実施するための最良の形態】
【００１１】
＜実施形態１＞
本発明の実施形態１を図１ないし図７によって説明する。本実施形態のコネクタは、相手側のコネクタハウジング（図示せず）と嵌合可能な雄側のコネクタハウジング１０を備え、このコネクタハウジング１０がパネル９０に貫通して設けられた取付孔９１内に待ち受け状態で取り付けられる。
【００１２】
コネクタハウジング１０は合成樹脂製であって、図２ないし図４に示すように、図示しない雄型端子金具を収容可能なブロック状、詳しくは角ブロック状の端子収容部１１と、端子収容部１１より一回り大きくなって端子収容部１１の前面に突成された筒状、詳しくは角筒状のフード部１２とからなり、全体として高さ方向（上下方向）に細長い形状となっている。端子収容部１１には、雄型端子金具を後方から挿入可能なキャビティ１３が高さ方向および幅方向（左右方向）に複数整列して設けられている。各キャビティ１３の内壁には撓み変形可能なランス１４が形成されており、キャビティ１３内に正規挿入された雄型端子金具はランス１４によって抜け止め状態で係止される。
【００１３】
フード部１２の内側には図示しない雄型端子金具のタブが突出状態で配置されている。そして、フード部１２の両側内面には、左右一対のカムピン１５が突設されている。両カムピン１５は、フード部１２の内面における高さ方向の中央部に設定され、相手側のコネクタハウジングに設けられたレバーのカム溝と係合した状態でレバーの操作がなされることによってカム作用を発揮し、両コネクタハウジングを正規嵌合位置へと誘導する役割をもっている。フード部１２の外面における前後方向（長さ方向）の略中央部には、全周に亘って径方向に張り出すフランジ部１６が立設されており、フード部１２の後半部には、同フード部１２の後端からフランジ部１６の立ち上げ端に向かって登り勾配となる斜辺を備えた板状のリブ１８が、周方向に間隔をあけて複数形成されている。フランジ部１６の立ち上げ端からは前方に向かって突出する庇部１７が全周に亘って形成されており、この庇部１７とフランジ部１６とで断面Ｌの字をなしている。庇部１７の突出端はパネル９０の取付孔９１における後面側（コネクタハウジング１０の挿入方向の後方側）の開口縁周りに当接可能とされる。
【００１４】
フード部１２の前端部は、パネル９０の取付孔９１に嵌め込み可能な外形をなし、フード部１２の開口端縁に形成されたパネルロック部２１，２２およびロック爪２３と庇部１７との間にパネル９０を板厚方向に挟み込むことで、コネクタハウジング１０がパネル９０に取り付けられる。パネルロック部２１，２２は、弾性変形し得る部分を含んで形成され、フード部１２の短辺側の上端縁に一つ、フード部１２の長辺側の両側縁にそれぞれ一つずつ、合計三つ配置されている。一方、ロック爪２３は、フード部１２の短辺側の下端縁に一つ配置され、そこに固定して形成されている。詳しくはロック爪２３は、フード部１２の短辺方向に沿った直線状でかつリブ状の形態をなし、パネル９０の取付孔９１における前面側（コネクタハウジング１０の挿入方向の前方側）の開口縁に密着状態で当接可能とされる。
【００１５】
パネルロック部２１，２２は、フード部１２の短辺側に配置された第一のパネルロック部２１と、フード部１２の長辺側に配置された、第一のパネルロック部２１とは異なる形態の第二のパネルロック部２２とからなる。  
フード部１２の長辺側の両側縁における開口端縁には、前方へ向かって張り出す略台形状の突片２４が左右一対ずつ形成され、パネル９０への取付時、各突片２４がパネル９０の前面より前方へ突き出るようになっている。そして、第二のパネルロック部２２は、フード部１２の高さ方向の上端側における左右一対の突片２４に配置され、略チャンネル形状の切り込み溝２５間において内外（コネクタハウジング１０の軸芯に接近・離間する方向）に撓み変形可能とされた撓み片２６を備えている。撓み片２６は、前端側に基端部を有してそこから後方へ片持ち梁状に延びる形態とされ、その外面に、ロック突部２７が形成されている。ロック突部２７は、側面視によれば、撓み片２６の外面外周縁に沿った門型をなし、平面視によれば、前端縁から後方へ向かって昇り勾配となるテーパ状の斜辺および略垂直に切り立つ後端縁を含む略直角三角形状をなしている。このうち、テーパ状の斜辺は、図６に示すように、パネル９０への取付過程で取付孔９１の内面に摺接可能な案内面２８とされ、略垂直に切り立つ後端縁は、パネル９０への取付時にパネル９０の前面に対して面接触状態で垂直に当接可能なロック面２９とされる。
【００１６】
そして、フード部１２の長辺側の両側外面には、それぞれ、リブ状の突部３１が形成されている。この突部３１の突出端面４５は、幅方向（撓み片２６の撓み方向と直交する方向であり、また、パネル９０への取付時に撓み片２６のロック面２９が被さる取付孔９１の開口縁に沿う方向）についてロック突部２７のロック面２９の幅寸法内であって、かつ、ロック面２９の幅寸法の両端部を除いた中間部と対応する位置に配置されている。詳しくは突部３１の突出端面４５はロック突部２７のロック面２９の中央部と切り込み溝２５を挟んで対向する位置に配置され、当該位置において同じ高さ位置で略水平に延出された形態をなしている。また、突部３１の後端はフランジ部１６の根元に連なり、庇部１７に切り欠き凹部３２が開放して形成されることで、この切り欠き凹部３２を通して突部３１が視認可能とされる。
【００１７】
一方、フード部１２の短辺側の上端縁における幅方向の中央部には、切り込み溝２５より溝幅の広い一対のスリット３４がこのフード部１２の開口端縁に開口して形成されており、両スリット３４間に、第一のパネルロック部２１が形成されている。第一のパネルロック部２１は、両スリット３４間にて内外（コネクタハウジングの軸芯に接近・離間する方向）に撓み変形可能に配され、長さ寸法および幅寸法がいずれも撓み片２６より大きい弾性アーム３５と、弾性アーム３５の外面に突成された爪状のロック本体３６とを備え、パネル９０への取付過程では、弾性アーム３５の撓み動作を伴いつつロック本体３６がパネル９０の取付孔９１内を通過可能とされる。詳しくは弾性アーム３５は、図５に示すように、フランジ部１６にその基端部を接続させつつ前方へ向かって片持ち梁状に延びる形態とされ、その延出端部（自由端部）の上面側に、ロック本体３６が一体に突成されている。ロック本体３６は、上記したロック突部２７と同様、前端縁から後方へ向かって昇り勾配となるテーパ状の斜辺からなる案内面３７および略垂直に切り立つ後端縁からなるロック面３８を含む形態であって、案内面３７はロック突部２７側の案内面２８より傾斜角が少し緩くなり、かつ、方形面として構成される。
【００１８】
そして、弾性アーム３５の外面には、パネル９０への取付時に取付孔９１の内面との隙間を詰めることが可能とされた突部４１が形成されている。つまり、この突部４１は、弾性アーム３５を介してコネクタハウジング１０の外面に間接的に形成されるものであり、この点、コネクタハウジング１０の外面に直接的に形成される、フード部１２の長辺側に形成された突部３１とは異なる。この突部４１の突出端面４６は、ロック本体３６のロック面３８における幅方向（弾性アーム３５の撓み方向と直交する方向であり、また、パネル９０への取付時にロック本体３６のロック面３８が被さる取付孔９１の開口縁に沿う方向）の両端部を除いた中間部と対応する位置に設置され、詳しくは、ロック本体３６のロック面３８における幅方向の中央部と対向する位置に設置され、コネクタ全体として見ると、コネクタハウジング１０の幅方向の中央部に設置される。
【００１９】
この突部４１は、フード部１２の長辺側に設けられた突部３１と違って、弾性アーム３５の撓み動作に伴って追従変位するものであるが、それ自体の独立した撓み動作は不能とされる。突部４１の後端はフランジ部１６の根元に連なり、庇部１７に切り欠き凹部３２が開放して形成されることで、この切り欠き凹部３２を通して突部４１が視認可能とされる。そして、突部４１は、弾性アーム３５の延出方向（長さ方向）に沿ってリブ状に延出する形態とされ、詳しくは、弾性アーム３５の延出方向の全長に亘って延出する形態とされ、その突出端面４６がロック本体３６のロック面３８に屈曲して連続する。かかる突部４１の突出端面４６は、フード部１２の長辺側に設けられた突部３１の突出端面４５も同様であるが、パネル９０への取付時、パネル９０の取付孔９１内に進入されて取付孔９１の内面に当接可能とされ、この突出端面４６を介してパネル９０側に支持可能とされる。なお、弾性アーム３５のうち、突部４１を挟んだ両側面は、取付孔９１の内面とは非当接とされる。
【００２０】
次に、本実施形態の作用を説明する。まず、コネクタハウジング１０のキャビティ１３内に後方から雄型端子金具を挿入し、雄型端子金具をランス１４によって抜け止め状態で係止する。続いて、パネル９０の取付孔９１に対して、コネクタハウジング１０を上向きに傾けて後傾姿勢としつつロック爪２３を先に取付孔９１に通過させてパネル９０の前面側（表面側）における取付孔９１の開口縁に引っ掛けておく。この状態からロック爪２３とパネル９０との引っ掛け部分を支点として、コネクタハウジング１０を略垂直姿勢（真直に起立する姿勢）へと回動させると、第二のパネルロック部２２側のロック突部２７および第一のパネルロック部２１側のロック本体３６が取付孔９１の後面側（裏面側）の開口縁によって押圧されることによって第二のパネルロック部２２側の撓み片２６および第一のパネルロック部２１側の弾性アーム３５が撓み変形されつつ取付孔９１内を進行する。この過程では、両パネルロック部２１，２２の突部３１，４１は取付孔９１の後面より後方にあって取付孔９１へは非進入とされる。そして、コネクタハウジング１０が略垂直姿勢に達するのに伴って、図１、図４、および図６に示すように、庇部１７の先端が略全域に亘ってパネル９０の後面側に当接するとともに、ロック突部２７およびロック本体３６が取付孔９１を通過すると同時に、撓み片２６および弾性アーム３５が弾性的に復帰し、ロック突部２７およびロック本体３６の両ロック面２９，３８が取付孔９１の前面側の開口縁と当接可能に対面する。これにより、庇部１７とロック突部２７およびロック本体３６との間にパネル９０を挟んだ状態で、コネクタハウジング１０がパネル９０に対して正規の取付状態で保持される。
【００２１】
ところで、上記によってコネクタハウジング１０がパネル９０に正規に取り付けられると、両パネルロック部２１，２２の突部３１，４１がパネル９０における取付孔９１の内面に当接可能に配される。つまり、コネクタハウジング１０と取付孔９１の内面との間に取付誤差等に起因する隙間が生じる場合には、突部３１，４１が取付孔９１の内面に当接することで当該隙間が埋められる。そうすると、図７に示すように、突部３１，４１の突出端面４５，４６と取付孔９１の内面とが面接触状態で当接することになるが、この状態から外力が加わると、コネクタハウジング１０は、図中二点鎖線で示すように、突部３１，４１の突出端面４５，４６の一端とパネル９０との当接位置を支点とした軸周りに、詳しくは取付孔９１の内面に沿った外力の作用方向（左右いずれかの方向）に、傾倒変位することになる。
【００２２】
したがって、パネルロック部２１，２２のロック面２９，３８のうち、突部３１，４１とパネル９０との当接位置を境とした片側（コネクタハウジング１０の外面が取付孔９１の内面から離間する側）では、パネル９０に対する係止代をコネクタハウジング１０の傾倒前より減少させるものの（図中Ｘ部）、その減少量は、前記当接位置がロック面２９，３８の幅方向中央と対応する位置に設置されている分、従来よりも抑えられる。一方、パネルロック部２１，２２のロック面２９，３８のうち、突部３１，４１とパネル９０との当接位置を境としたもう片側（コネクタハウジング１０の外面が取付孔９１の内面に接近する側）では、パネル９０に対する係止代をコネクタハウジング１０の傾倒前より増加させることになる（図中Ｙ部）。結果として、パネルロック部２１，２２の係止代は、コネクタハウジング１０が取付孔９１内で位置ずれしても、従来のように大幅に減少するようなことがない。
【００２３】
以上説明したように、本実施形態によれば、パネルロック部２１，２２の係止代の減少分が従来よりも抑えられるのに加え、パネルロック部２１，２２の係止代の増加分が見込まれるから、コネクタハウジング１０が取付孔９１内で位置ずれしても、パネル９０に対するコネクタハウジング１０の取付状態の安定性を良好に保つことができる。しかも、パネル９０の取付孔９１の内面とコネクタハウジング１０の外面との間が突部３１，４１によって詰められるから、取付誤差等に起因するコネクタハウジング１０のがたつきも抑止可能となる。さらに、第一のパネルロック部２１に関して言えば、突部４１が弾性アーム３５の延出方向に沿ってリブ状に形成されているから、弾性アーム３５の強度が高められるとともに、突部４１の形状、配置等を調整することで、弾性アーム３５の撓み量の調整も可能となる。
【００２４】
ところで、突部３１，４１の突出端面４５，４６がパネルロック部２１，２２のロック面２９，３８における幅方向の中央部から左右いずれかの側へ偏った位置に対応して設置されている場合に、コネクタハウジング１０が突部３１，４１の突出端面４５，４６の偏心側と異なる側へ位置ずれすると、パネルロック部２１，２２の係止代の減少量が大きくなるという事情がある。その点、本実施形態によれば、突部３１，４１の突出端がパネルロック部２１，２２のロック面２９，３８における幅方向の中央部と対応する位置に設置されているから、パネルロック部２１，２２の係止代の増減量は、コネクタハウジング１０が左周りに位置ずれした場合と右周りに位置ずれした場合とで、等しくなり、かつ、コネクタハウジング１０が左右いずれの方向に位置ずれしても、パネルロック部２１，２２の係止代を十分に確保することができる。
【００２５】
＜他の実施形態＞
本発明は上記記述及び図面によって説明した実施形態に限定されるものではなく、例えば次のような実施形態も本発明の技術的範囲に含まれる。  
（１）本発明によれば、パネルの取付孔に対してその前面側からコネクタハウジングが挿入され、パネルの後面側にロック面が当接して係止されるものであってもよい。  
（２）本発明によれば、コネクタハウジングの外面に、第一および第二の両パネルロック部のうちのいずれか一方のみが形成されるものであってもよい。  
（３）本発明によれば、突部の突出端は、尖り形状であってパネルにおける取付孔の内面に点接触状態で当接可能とされても構わない。  
（４）本発明によれば、突部の突出端は、ロック面の幅方向両端部を除いた中間部と対応する位置に設置されていればよく、ロック面の幅方向中央部より左右いずれかへ多少偏った位置に対応して設置されていてもよい。  
（５）本発明によれば、突部は、リブ状に延びることなく、単なる突起状に形成されるだけでもよい。  
（６）本発明によれば、撓み片または／および弾性アームが両持ち梁状に形成されていてもよい。  
（７）本発明は、雌型端子金具を収容した雌側のコネクタハウジングに適用可能である。
【図面の簡単な説明】
【００２６】
【図１】本実施形態のコネクタの、パネルへの取付状態を示す正面図
【図２】コネクタハウジングの平面図
【図３】コネクタハウジングの側面図
【図４】パネルへの取付状態を示す側断面図
【図５】図４におけるＡ部拡大図
【図６】第二のパネルロック部のロック状態を示す横断面図
【図７】図５におけるＢ−Ｂ線断面図
【図８】図７に対応する従来図
【符号の説明】
【００２７】
１０…コネクタハウジング
１２…フード部
２１…第一のパネルロック部
２２…第二のパネルロック部
２３…ロック爪
３５…弾性アーム
３６…ロック本体
３１，４１…突部
９０…パネル
９１…取付孔
【図１】
2008071524.tif 000003
【図２】
2008071524.tif 000004
【図３】
2008071524.tif 000005
【図４】
2008071524.tif 000006
【図５】
2008071524.tif 000007
【図６】
2008071524.tif 000008
【図７】
2008071524.tif 000009
【図８】
2008071524.tif 000010